(57)【要約】【課題】磁気記録部を備えた写真フィルムのリーダートラックの磁気情報が不用意に書換えられるのを防止する。【解決手段】磁気記録部を備えた写真フィルム１１２と磁気記録再生装置１０７を有するカメラ１００において、フィルム１１２上に書換え禁止情報を記録でき、その情報に基づいてカメラ１００の動作を制御する。【選択図】　　　　図１
2004013927.tif 000002
【特許請求の範囲】
【請求項１】
磁気記録部を備えたフィルムが装填される電子機器において、
該フィルムのリーダー部に設けられた磁気記録用トラック上の磁気情報の書換え禁止を示す書換え禁止情報を前記フィルム上に記録することを特徴とする電子機器。
【請求項２】
磁気記録部を備えたフィルムが装填される電子機器において、
該フィルム上の磁気情報の書換えを禁止する書換え禁止情報が読み出された場合、
前記磁気情報の内容を表示することを特徴とする電子機器。
【請求項３】
磁気記録部を備えたフィルムが装填される電子機器において、
該フィルム上の磁気情報の書換えを禁止する書換え禁止情報が読み出された場合、
前記フィルムが書換え禁止で有ることを報知することを特徴とする電子機器。
【請求項４】
磁気記録部を備えたフィルムが装填される電子機器において、
該フィルム上の磁気情報の書換えを禁止する書換え禁止情報を記録する場合、
前記磁気情報の記録フォーマットを変更することを特徴とする電子機器。
【請求項５】
前記磁気情報は前記リーダートラックにあることを特徴とする請求項２、３、４記載の電子機器。
【請求項６】
磁気記録部を備えたフィルムが装填される電子機器において、
該フィルム上に磁気情報が有ると判断された場合、
少なくとも前記リーダートラックの磁気情報の読み出しが完了する前に、前記フィルム上に磁気記録することを禁止することを特徴とする電子機器。
【発明の詳細な説明】
【０００１】
【発明の属する技術分野】
本発明は磁気情報の記録可能なフィルムを使用する電子機器に関し、特にソフトによる書込み保護ができる磁気情報の記録可能なフィルムを使用する電子機器に係るものである。
【０００２】
【従来の技術】
従来、磁気記録部を備えたフィルムが装填されるカメラにおいて、フィルムのリーダートラックの磁気情報の設定及び記録並びに書換え方法について、特開平７−３３３７１５号公報や特開平１０−１３３２６９号公報に提案されている。
【０００３】
また、１ロールの写真フィルム上の磁気トラックに磁気情報を記録する磁気情報の記録方法において、前記磁気トラックをフィルムの先端のリーダー部におけるリーダートラックと前記リーダー部の後方の各フレームに対応するフレームトラックとに区分し、前記フレームトラックに個々のフレームのプリント又は自動再生に必要な磁気情報を記録し、前記リーダートラックに、前記磁気情報の書換え可能／不可能を示す書換え禁止情報を記録したことを特徴とする磁気情報の記録方法が提案されており（特開平８−０８２８６３号公報）、家庭用のフィルムプレーヤで記録した磁気情報が他の機器によって不用意に書き換えられるのを防止することができる。
【０００４】
【発明が解決しようとする課題】
しかしながら、上記の提案の前者において、フィルムのリーダートラックに記録された磁気情報についての保護については述べてはいない。
【０００５】
また、後者によればフレームトラックに個々のフレームのプリント又は自動再生に必要な磁気情報を記録し、リーダートラックに、前記磁気情報の書換え可能／不可能を示す書換え禁止情報が記録可能で有るのみであり、リーダートラックに記録された本人認証等の重要情報を保護することが不可能であった。
【０００６】
本発明はこのような事情に鑑みてなされたもので、リーダートラックに記録された本人認証等の重要情報を不用意に書き換えられるのを防止する、または、記録された内容を他者が知ることを困難にすることで情報の漏洩を防ぐことができる電子機器を提供することを目的とする。
【０００７】
また、磁気情報の書換え禁止情報が記録されているフィルムがカメラに装填された時、ユーザーの承諾なしに書き換えられることを防止することを目的とする。
【０００８】
【課題を解決するための手段】
そこで本発明は、前記目的を達成するために本願における請求項１記載の発明によれば、磁気記録部を備えたフィルムが装填される電子機器において、該フィルムのリーダー部に設けられた磁気記録用トラック上の磁気情報の書換え禁止を示す書換え禁止情報を前記フィルム上に記録することを特徴とする。
【０００９】
また、本願における請求項２記載の発明によれば、磁気記録部を備えたフィルムが装填される電子機器において、該フィルム上の磁気情報の書換えを禁止する書換え禁止情報が読み出された場合、前記磁気情報の内容を表示することを特徴とする。
【００１０】
また、本願における請求項３記載の発明によれば、磁気記録部を備えたフィルムが装填される電子機器において、該フィルム上の磁気情報の書換えを禁止する書換え禁止情報が読み出された場合、前記フィルムが書換え禁止で有ることを報知することを特徴とする。
【００１１】
また、本願における請求項４記載の発明によれば、磁気記録部を備えたフィルムが装填される電子機器において、該フィルム上の磁気情報の書換えを禁止する書換え禁止情報を記録する場合、前記磁気情報の記録フォーマットを変更することを特徴とする。
【００１２】
また、本願における請求項５記載の発明によれば、請求項２、３、４において、前記磁気情報は前記リーダートラックにあることを特徴とする。
【００１３】
また、本願における請求項６記載の発明によれば、磁気記録部を備えたフィルムが装填される電子機器において、該フィルム上に磁気情報が有ると判断された場合、少なくとも前記リーダートラックの磁気情報の読み出しが完了する前に、前記フィルム上に磁気記録することを禁止することを特徴とする。
【００１４】
（作用）
本発明によれば、磁気情報の書換え不可能を示す書換え禁止情報を前記フィルム上に記録することで、リーダートラックに記録された本人認証等の重要情報を不用意に書き換えられるのを防止する、または、該フィルム上の磁気情報の書換えを禁止する書換え禁止情報を記録する場合、前記磁気情報の記録フォーマットを変更することで記録された内容を他者が知ることを困難にすることで情報の漏洩を防ぐことができる。
【００１５】
また、磁気情報の書換え禁止情報が記録されているフィルムがカメラに装填された時、磁気情報の読み出しが完了する前に、前記フィルム上に磁気記録することを禁止することで、ユーザーの承諾なしに書き換えられることを防止することができる。
【００１６】
【発明の実施の形態】
以下添付図面に従って本発明に係る電子機器の実施例を詳説する。
【００１７】
図１は本発明に係る磁気情報の記録可能なフィルムを使用するカメラ１００の外観図である。同図に示すように、このカメラ１００は直方体状に形成され、その底面にはフィルムカートリッジ室１０１が設けられている。フィルムカートリッジ室１０１は、フィルムカートリッジ１１０の収納が可能になっている。また、１０２は撮影レンズであり、１０３はファインダであり、１０４はストロボである。
【００１８】
フィルムカートリッジ１１０は、図２に示すように単一のスプール１１１を有し、このスプール１１１に写真フィルム１１２が巻回されている。この写真フィルム１１２には、各フレームの位置を示すパーフォレーション１１２Ａが穿設されている。また、写真フィルム１１２には透明磁気記録層が設けられており、その縁部に磁気トラック１１２Ｂと１１２Ｃが形成されるようになっている。
【００１９】
ここで、１ロールのフィルムのうち、第１フレームの位置を示すパーフォレーション１１２Ａよりもフィルム先端側をリーダー部といい、磁気トラック１１２Ｃのうちのリーダー部の磁気トラックをリーダートラックＬ１，Ｌ２といい、また、第１フレームの位置を示すパーフォレーション１１２Ａよりも後端側をフレーム部といい、フレーム部の磁気トラックをフレームトラックという。そして、リーダートラックには１ロール全体の磁気情報が記録され、フレームトラックにはフレーム毎の磁気情報が記録される。
【００２０】
尚、これらのトラックには、磁気ヘッドを有するカメラ１１００やフィルムプレーヤ等によって磁気情報が記録される。カメラ１００によって記録される磁気情報としては、例えば、撮影条件、疑似ズーム情報、フレーム番号、ハイビジョン画像、パノラマ画像及び通常画像のいずれかを示すプリントフォーマット、撮影日／時刻等が考えられるが、その他、カメラ１００によって多種類の情報を記録することができる。また、写真フィルム１１２には、被写体光によって露光されるフレーム領域以外にフィルムタイプ、フレーム番号等を示すバーコードや、撮影時にカメラ内蔵の光源によってプリントフォーマット等を示すデータを光学的に記録することができる。更に、現像処理された写真フィルム１１２はフィルムカートリッジ１１０に巻き取られ、これにより保管できるようになっている。
【００２１】
図３は上記カメラ１００の内部構成の一実施例を示すブロック図である。このカメラ１００は、撮影レンズ１０２、中央処理装置（ＣＰＵ）１０５、光学データ読取装置１０６、磁気記録再生装置１０７等を備えている。
【００２２】
同図にはフィルムカートリッジ１１０がフィルム供給部に装填されており、フィルムカートリッジ１１０から送り出されたフィルム１１２がフィルム巻取部の巻取軸１０５に巻きつけられている。フィルム１１２の磁気トラック１１２Ｃに対する磁気情報の読み取り又は書き込みを行う時には、搬送速度が一定速度になるように制御している。
【００２３】
また、光学データ読取装置１０６に含まれるパーフォレーションセンサ１０６Ａによってフィルム１１２に穿設されたパーフォレーションの位置を検出し、各フレーム画像及び各磁気トラックの位置を特定している。これによって、フィルム１１２の所定位置に対する磁気情報の読み取り及び書き込みを可能にしている。
【００２４】
フィルム１１２の磁気トラックに対する磁気情報の読み取り及び書き込みは、磁気記録再生装置１０７によって行われる。磁気記録再生装置１０７は磁気ヘッド１０７Ａを含み、磁気ヘッド１０７Ａを介してフィルム１１２の磁気トラック１１２Ｃに記録されている磁気データを読み取り、その磁気データを処理してＣＰＵ１０２に出力してＲＡＭ１０５Ａに記録し、また、ＣＰＵ１０５のＲＡＭ１０５Ａに記録されたデータを読み出し、これを磁気記録に適した信号に変換したのち磁気ヘッド１０７Ａに出力し、フィルム１１２の磁気トラック１１２Ｃに記録する。
【００２５】
フィルムカートリッジ１１０のＩＤ番号等を示すバーコード等の光学デー夕の読み取りは、光学データ読取装置１０６に含まれる光センサ１０６Ｂによって行われ、光学データ読取装置１０６は光センサ１０６Ｂを介して検出した光学データを処理してＣＰＵ１０５に出力する。
【００２６】
図４はカメラ１００の動作手順を示すフローチャートである。フィルムカートリッジ１１０をカメラ１００のカートリッジ装填部に装填すると（ステップＳ１）、まずフィルムカートリッジ１１０からフィルムを送り出し方向に搬送し、フィルムのリーダートラックに磁気情報が記録されているか否かを判断する（ステップＳ２）。ここで、フィルムのリーダートラックに磁気情報が記録されていると判断した場合、リーダートラックの磁気情報の再生が終了するまで磁気記録を禁止する（ステップＳ３）。
【００２７】
次に、リーダートラックの磁気情報の再生を行う（ステップＡ）。再生が終了すると（ステップＳ５）、リーダートラックの磁気情報に書換え禁止情報が記録されているか否かを判断する（ステップＳ６）。この結果によって磁気情報の記録が実行されるか否かが決まる。尚、この磁気情報の書換え可能／不可能の判断処理に関しては後述する。
【００２８】
もし、書換え禁止情報が記録されていれば、この書換え禁止情報に基づいて書換え禁止の旨を表示する（ステップＳ７）。このとき、書換え禁止の旨をより強くユーザーに伝えるために、ブザー等の音またはＬＥＤ等の光を用いて報知してもよい。
【００２９】
もし、書換え禁止情報が記録されていなく磁気情報の書換えが可能であれば、不図示の操作ボタンを用いて本人認証のためのパスワード等、各種設定を行うことができる（ステップＳ８）。上記設定した情報はフィルムを巻き戻しながら記録を行う。
【００３０】
次に、フィルムを撮影可能な位置に搬送し、適宜撮影（ステップＳ９）をした後、終了する。
【００３１】
次に、上記磁気情報の書換え可能／不可能を判断に使用する書換え禁止情報について説明する．書換え禁止情報は、例えば０か１の１ビットフラグ情報で、フィルムのリーダー部に記録される。もし、書換え禁止情報が０であれば磁気情報の書換えを可能とし、１であれば書換えを不可とする。
【００３２】
だだし、この書換え禁止情報は、ユーザが所有するカメラ１００において記録された磁気情報が不用意に書き換えられるのを防止するものであるため、他のカメラやフィルムプレーヤーにおいては、この書換え禁止情報が書換え禁止を示していたとしてもこれに関係なく磁気情報の記録は行われる。カメラ１００においてフィルムに磁気情報の書換えを行う場合には、まず、書換え禁止情報を読み取り、これが０であれば書換えを実行し、１であれば書換えは行わないようにする。
【００３３】
図５はカメラ１００において書換え禁止フラグを設定する手順を示すフローチャートである。各種磁気情報の設定が終了し（ステップＳ５０）、フィルムカートリッジの取り出し又はユーザからの指示によって磁気情報の記録が指示されると（ステップＳ５１）、カメラ１００は、“書換え禁止フラグを設定しますか”等のコメントを表示する。そして、ユーザが書換え禁止フラグを設定するか否かの選択を入力装置から指示するのを待機する（ステップＳ５２）。
【００３４】
このとき、書換え禁止フラグを設定するという指示があれば、書換え禁止フラグをセットし（ステップＳ５３）、書換え禁止フラグを設定しないという指示があれば、書換え禁止フラグをクリアする（ステップＳ５４）。以上の各種磁気情報の設定が終了すると、書換え禁止フラグを含む磁気情報をフィルムに記録する（ステップＳ５５）。このとき、書換え禁止フラグがセットされていない場合とは異なるフォーマットで記録する。
【００３５】
【発明の効果】
以上本発明によれば、磁気情報の書換え不可能を示す書換え禁止情報を前記フィルム上に記録することで、リーダートラックに記録された本人認証等の重要情報を不用意に書き換えられるのを防止する、または、該フィルム上の磁気情報の書換えを禁止する書換え禁止情報を記録する場合、前記磁気情報の記録フオーマットを変更することで記録された内容を他者が知ることを困難にすることで情報の漏洩を防ぐことができるようになる。
【００３６】
また、磁気情報の書換え禁止情報が記録されているフィルムがカメラに装填された時、磁気情報の読み出しが完了する前に、前記フィルム上に磁気記録することを禁止することで、ユーザーの承諾なしに書き換えられることを防止することができるようになる。
【図面の簡単な説明】
【図１】本発明に係るカメラの外観図である。
【図２】図１に示したカメラに適用されるフィルムカートリッジの一例を示す図である。
【図３】図１に示したカメラの内部構成の一実施例を示すブロック図である。
【図４】カメラの動作手順を示したフローチャートである。
【図５】カメラにおいて書換え禁止フラグを設定する手順を示すフローチャートである。
【符号の説明】
１００　カメラ
１０１　フィルムカートリッジ室
１０２　撮影レンズ
１０３　ファインダ
１０４　ストロボ
１０５　中央処理装置（ＣＰＵ）
１０６　光学データ読取装置
１０６Ａ　パーフォレーションセンサ
１０６Ｂ　光センサ
１０７　磁気記録再生装置
１０７Ａ　磁気ヘッド
１１０　フィルムカートリッジ
１１１　スプール
１１２　写真フィルム
１１２Ａ　パーフォレーション
１１２Ｂ、１１２Ｃ　磁気トラック
Ｌ１、Ｌ２　リーダートラック
【図１】
2004013927.tif 000003
【図２】
2004013927.tif 000004
【図３】
2004013927.tif 000005
【図４】
2004013927.tif 000006
【図５】
2004013927.tif 000007